(57)【要約】  支持フレームを備えた対話型ディスプレイシステムが提供され、支持フレームは、オプションとして取付け状態の対話型ディスプレイ、例えば接触式ディスプレイの重量を釣り合わせる垂直位置決め要素を有する。支持フレームは、ラインコード及び電力コンセント接続部を不要にすることにより対話型ディスプレイシステムの可動域を増大させる電源装置を有する。対話型ディスプレイ用の例示の支持フレームの１つは、ベース要素と、ベース要素から垂直に延びる少なくとも１つの支持体と、少なくとも１つの支持体内に収納された位置決め要素とを有する。位置決め要素は、対話型ディスプレイの重量と釣り合って約２５ポンド（１１．３４ｋｇ）以下の力で対話型ディスプレイの垂直再位置決めを可能にする。【特許請求の範囲】
【請求項１】
対話型ディスプレイ用の支持フレームであって、
ベース要素と、
前記ベース要素から垂直に延びる少なくとも１つの支持体と、
前記少なくとも１つの支持体内に収納され、前記対話型ディスプレイを受け入れるように形作られた位置決め要素とを有し、該位置決め要素は、前記対話型ディスプレイの重量と釣り合い、約２５ポンド（１１．３４ｋｇ）以下の力で前記対話型ディスプレイの垂直再位置決めを可能にする、支持フレーム。
【請求項２】
垂直再位置決め力は、約１．０オンス〜約３ポンド（２８．３５ｇ〜１３６０．７７ｇ）である、請求項１記載の支持フレーム。
【請求項３】
前記ベース要素に取り付けられた複数個の可動要素を更に有する、請求項１記載の支持フレーム。
【請求項４】
前記垂直位置決め要素は、油圧又は空気圧装置を含む、請求項１記載の支持フレーム。
【請求項５】
前記油圧又は空気圧装置は、ガススプリングを含む、請求項４記載の支持フレーム。
【請求項６】
前記支持フレームに取り付けられた対話型ディスプレイを更に有する、請求項１記載の支持フレーム。
【請求項７】
複数個の垂直支持体を更に有する、請求項１記載の支持フレーム。
【請求項８】
少なくとも１つの垂直支持体が、前記複数個の垂直支持体のうちの少なくとも１つに連結されている、請求項７記載の支持フレーム。
【請求項９】
前記対話型ディスプレイは、電子ホワイトボード、接触式ディスプレイ、リヤプロジェクション型ディスプレイ、レーザ追跡ディスプレイ、超音波追跡ディスプレイ、光学式捕捉ディスプレイ、テレビジョン、プラズマディスプレイ、ＬＣＤ及び二酸化チタンの粒子が懸濁状態で入っている油入りカプセルを用いるディスプレイから成る群から選択される、請求項６記載の支持フレーム。
【請求項１０】
前記支持フレームに固定された電源を更に有する、請求項１記載の支持フレーム。
【請求項１１】
前記電源は、再充電可能である、請求項１０記載の支持フレーム。
【請求項１２】
前記電源は、バッテリを含む、請求項１０記載の支持フレーム。
【請求項１３】
前記バッテリは、再充電可能である、請求項１２記載の支持フレーム。
【請求項１４】
前記電源は、再充電器を含む、請求項１１記載の支持フレーム。
【請求項１５】
前記電源は、再充電のためのラインコードを含む、請求項１０記載の支持フレーム。
【請求項１６】
前記電源は、電力レベル表示器を有する、請求項１０記載の支持フレーム。
【請求項１７】
前記電力レベル表示器は、前記支持フレームの正面から見えるよう位置決めされている、請求項１６記載の支持フレーム。
【請求項１８】
対話型ディスプレイ用の支持フレームであって、
ベース要素と、
前記ベース要素から垂直に延び、対話型ディスプレイを受け入れるよう形作られた支持体と、
前記支持フレームに取り付けられ、前記対話型ディスプレイに電力を供給する電源とを有する、支持フレーム。
【請求項１９】
前記ベース要素に取り付けられた複数個の可動要素を更に有する、請求項１８記載の支持フレーム。
【請求項２０】
前記支持体は、垂直位置決め要素を有する、請求項１８記載の支持フレーム。
【請求項２１】
前記垂直位置決め要素は、前記対話型ディスプレイの重量と釣り合うのに十分な力をもたらす、請求項２０記載の支持フレーム。
【請求項２２】
約２５ポンド（１１．３４ｋｇ）以下の垂直の力が、前記対話型ディスプレイを再位置決めする、請求項２１記載の支持フレーム。
【請求項２３】
約１．０オンス〜約３ポンド（２８．３５ｇ〜１３６０．７７ｇ）の垂直の力が、前記対話型ディスプレイを再位置決めする、請求項２１記載の支持フレーム。
【請求項２４】
前記垂直位置決め要素は、油圧又は空気圧装置を有する、請求項２１記載の支持フレーム。
【請求項２５】
対話型ディスプレイを更に有する、請求項１８記載の支持フレーム。
【請求項２６】
複数個の垂直支持体を更に有する、請求項１８記載の支持フレーム。
【請求項２７】
少なくとも１つの水平支持体が、前記複数個の垂直支持体のうち少なくとも２つの連結されている、請求項２６記載の支持フレーム。
【請求項２８】
前記電源は、再充電可能である、請求項１０記載の支持フレーム。
【請求項２９】
前記電源は、バッテリを含む、請求項１８記載の支持フレーム。
【請求項３０】
前記バッテリは、再充電可能である、請求項２９記載の支持フレーム。
【請求項３１】
前記電源は、再充電器を含む、請求項１８記載の支持フレーム。
【請求項３２】
前記電源は、再充電のためのラインコードを含む、請求項１８記載の支持フレーム。
【請求項３３】
前記対話型ディスプレイは、電子ホワイトボード、接触式ディスプレイ、リヤプロジェクション型ディスプレイ、レーザ追跡ディスプレイ、超音波追跡ディスプレイ、光学式捕捉ディスプレイ、テレビジョン、プラズマディスプレイ、ＬＣＤ及び二酸化チタンの粒子が懸濁状態で入っている油入りカプセルを用いるディスプレイから成る群から選択される、請求項２５記載の支持フレーム。
【請求項３４】
対話型ディスプレイシステムであって、
支持フレームに取り付けられた対話型ディスプレイを有し、前記支持フレームは、
ベース要素と、
前記ベース要素から垂直に延び、前記対話型ディスプレイを受け入れるよう形作られた支持体と、
前記ベース又はフレームに取り付けられ、前記対話型ディスプレイに電力を供給する電源とを有する、対話型ディスプレイシステム。
【請求項３５】
前記ベース要素に取り付けられた複数個の可動要素を更に有する、請求項３４記載の対話型ディスプレイシステム。
【請求項３６】
前記位置決め要素は、前記対話型ディスプレイの重量と釣り合うのに十分な力をもたらし、前記対話型ディスプレイの垂直再位置決めを可能にする、請求項３４記載の対話型ディスプレイシステム。
【請求項３７】
前記対話型ディスプレイは、約２５ポンド（１１．３４ｋｇ）以下の力によって再位置決めされる、請求項３６記載の対話型ディスプレイシステム。
【請求項３８】
前記対話型ディスプレイは、約１．０オンス〜約３ポンド（２８．３５ｇ〜１３６０．７７ｇ）の力によって再位置決めされる、請求項３６記載の対話型ディスプレイシステム。
【請求項３９】
前記垂直位置決め要素は、油圧又は空気圧装置を有する、請求項３４記載の対話型ディスプレイシステム。
【請求項４０】
前記対話型ディスプレイは、電子ホワイトボード、接触式ディスプレイ、リヤプロジェクション型ディスプレイ、レーザ追跡ディスプレイ、超音波追跡ディスプレイ、光学式捕捉ディスプレイ、テレビジョン、プラズマディスプレイ、ＬＣＤ及び二酸化チタンの粒子が懸濁状態で入っている油入りカプセルを用いるディスプレイから成る群から選択される、請求項３４記載の対話型ディスプレイシステム。
【請求項４１】
画像を前記対話型ディスプレイの表面上に投射するプロジェクタを更に有する、請求項３４記載の対話型ディスプレイシステム。
【請求項４２】
前記表面は、接触式表面である、請求項４１記載の対話型ディスプレイシステム。
【請求項４３】
前記対話型ディスプレイと通信状態にあるコンピュータを更に有する、請求項３４記載の対話型ディスプレイシステム。
【請求項４４】
前記電源は、再充電可能である、請求項３４記載の対話型ディスプレイシステム。
【請求項４５】
前記電源は、バッテリを含む、請求項３４記載の対話型ディスプレイシステム。
【請求項４６】
前記バッテリは、再充電可能である、請求項４５記載の対話型ディスプレイシステム。
【請求項４７】
前記電源は、再充電器を含む、請求項３４記載の対話型ディスプレイシステム。
【請求項４８】
前記電源は、再充電のためのラインコードを含む、請求項３４記載の対話型ディスプレイシステム。
【請求項４９】
対話型ディスプレイ用の支持フレームであって、
位置決め可能な第１及び第２のアームを備えたベースと、
前記第１及び前記第２のアームに取り付けられた可動要素と、
前記ベースから延び、対話型ディスプレイを受け入れるよう形作られた垂直方向に調節可能な支持体とを有する支持フレーム。
【請求項５０】
前記ベース要素の前記第１のアーム及び前記第２のアームは、前記し自体に向かって折り畳まれる、請求項４９記載の支持フレーム。
【請求項５１】
前記支持フレームに取り付けられた電源を更に有する、請求項４９記載の支持フレーム。
【請求項５２】
前記電源は、再充電可能である、請求項５１記載の支持フレーム。
【請求項５３】
前記電源は、バッテリを含む、請求項５１記載の支持フレーム。
【請求項５４】
前記バッテリは、再充電可能である、請求項５３記載の支持フレーム。
【請求項５５】
前記電源は、再充電器を含む、請求項５１記載の支持フレーム。
【請求項５６】
前記電源は、再充電のためのラインコードを含む、請求項５１記載の支持フレーム。
【請求項５７】
前記位置決め要素は、前記対話型ディスプレイの重量と釣り合うのに十分な力をもたらし、前記対話型ディスプレイの再位置決めを可能にする、請求項４９記載の支持フレーム。
【請求項５８】
前記対話型ディスプレイは、約２５ポンド（１１．３４ｋｇ）以下の力によって再位置決めされる、請求項５７記載の支持フレーム。
【請求項５９】
前記対話型ディスプレイは、約１．０オンス〜約３ポンド（２８．３５ｇ〜１３６０．７７ｇ）の力によって再位置決めされる、請求項５７記載の支持フレーム。
【請求項６０】
前記調節可能な垂直支持体は、油圧又は空気圧ピストンを含む、請求項４９記載の支持フレーム。
【請求項６１】
前記対話型ディスプレイは、電子ホワイトボード、接触式ディスプレイ、リヤプロジェクション型ディスプレイ、レーザ追跡ディスプレイ、超音波追跡ディスプレイ、光学式捕捉ディスプレイ、テレビジョン、プラズマディスプレイ、ＬＣＤ及び二酸化チタンの粒子が懸濁状態で入っている油入りカプセルを用いるディスプレイから成る群から選択される、請求項４９記載の支持フレーム。
【請求項６２】
電子ホワイトボードシステムであって、
ワイヤレス通信装置を備えた電子ホワイトボードを有し、該電子ホワイトボードは、可動支持フレームに取り付けられ、該可動支持フレームは、
車輪付きベース要素と、
前記ベース要素から垂直に延び、前記電子ホワイトボードを受け入れるよう形作られると共に前記電子ホワイトボードの重量と釣り合うのに十分な力をもたらして前記電子ホワイトボードを所望の垂直位置に維持するよう構成された空気圧又は油圧位置決め要素とを有する、電子ホワイトボードシステム。
【請求項６３】
前記支持フレームに取り付けられ、前記電子ホワイトボードに電力を供給する電源を更に有する、請求項６２記載の電子ホワイトボードシステム。
【請求項６４】
前記電源は、再充電可能である、請求項６３記載の電子ホワイトボードシステム。
【請求項６５】
前記電源は、バッテリを含む、請求項６３記載の電子ホワイトボードシステム。
対話型ディスプレイシステム。
【請求項６６】
前記バッテリは、再充電可能である、請求項４５記載の電子ホワイトボードシステム。
【請求項６７】
前記電源は、再充電器を含む、請求項６３記載の電子ホワイトボードシステム。
【請求項６８】
画像を前記電子ホワイトボードの接触式表面上に投射するプロジェクタを更に有する、請求項６２記載の電子ホワイトボードシステム。
【請求項６９】
前記位置決め要素は、垂直支持体内に収納されている、請求項６２記載の電子ホワイトボードシステム。
【請求項７０】
支持スタンドであって、
ベース要素と、
該ベース要素から垂直に延びる少なくとも１つの支持体と、
対話型ディスプレイを受け入れるよう形作られた位置決め手段とを有し、該位置決め手段は、前記対話型ディスプレイの重量と釣り合って、接触式ディスプレイの垂直位置決めを約２５ポンド（１１．３４ｋｇ）以下の力で可能にする、支持スタンド。
【請求項７１】
前記対話型ディスプレイは、電子ホワイトボード、接触式ディスプレイ、リヤプロジェクション型ディスプレイ、レーザ追跡ディスプレイ、超音波追跡ディスプレイ、光学式捕捉ディスプレイ、テレビジョン、プラズマディスプレイ、ＬＣＤ及び二酸化チタンの粒子が懸濁状態で入っている油入りカプセルを用いるディスプレイから成る群から選択される、請求項７０記載の支持スタンド。
【請求項７２】
電力を前記対話型ディスプレイに供給する再充電可能な手段を更に有する、請求項７０記載の支持スタンド。
【発明の詳細な説明】
【技術分野】
【０００１】
本発明は一般に、対話型ディスプレイシステムに関し、特に、接触式システムに関する。
【背景技術】
【０００２】
対話型電子ホワイトボードシステム、例えば接触式システムは、教室内設備だけでなくビジネス会議場で用いられることが多い人気のある通信ツールである。市販の対話型電子ホワイトボードシステムとしては、ポリビジョン・コーポレイション（PolyVision Corporation）から入手できるWebster（登録商標）Touch Sensitive及びWalk-and-Talk（登録商標）システムが挙げられる。この例示のシステムは一般に、接触式ディスプレイ及びプロジェクタに接続されたコンピュータを有する。典型的にはコンピュータのモニタ上に表示されるデータを接触式ホワイトボード上に投射することができる。ユーザは、接触式ホワイトボードに触れて投射されたデータと対話し、例えばコンピュータ上で実行されているソフトウェアアプリケーションを制御することによりデータの表示を制御する。接触式ホワイトボードは、関連のコンピュータのための動的ユーザインターフェイスとして働き、それによりユーザは、表示されたデータと直接対話し、対話内容を対話型ホワイトボードシステムとネットワーク化された他のコンピュータに公開できる。接触式ディスプレイの表面上に書き込まれたデータを投射された状態のデータに組み込むことができ、データの全てを電子的に捕捉し、ストアし又は操作することができる。その結果、或る場所に居るユーザは、対話内容の表示を現地および遠隔地の視聴者に提供することができる。
【発明の開示】
【発明が解決しようとする課題】
【０００３】
市販の対話型ホワイトボードシステムの接触式ホワイトボードは一般に、電力をディスプレイに供給するのに必要な電力コンセントに密接して位置する壁表面に取り付けられている。或る対話型ホワイトボードシステム、例えばポリビジョン・コーポレイションから入手できるWalk-and-Talk（登録商標）システムでは、接触式ディスプレイが摺動可能なトラックシステム上の壁表面に取り付けられる場合がある。摺動可能なトラックシステムも又、電力をディスプレイに供給してディスプレイを例えば壁に沿って水平に動かすことができるようになっている。残念なことに、接触式ディスプレイの運動は、電力コンセントに関する要件により制限される。
【０００４】
他の対話型ホワイトボードシステムとしては、可動スタンドに取り付けられるホワイトボードがある。これについては、例えばオガタに付与された米国特許５，９０３，２５２号明細書を参照されたい。一般に、ディスプレイは、車輪を備えたスタンドに取り付けられ、ホワイトボードを室内で動かすことができるようになっている。ディスプレイの高さを調節することは、１つにはディスプレイの重量により困難であり、典型的には人が２人必要となる。さらに、長いラインコード及び接続ケーブルが、ディスプレイを電力コンセントから遠ざけて位置決めするのに必要である。さらに、ラインコードの追加長さ分は、表示中、ユーザの動きを妨げる場合がある。
【０００５】
したがって、可動又は移動式の対話型電子システムが要望されている。
【０００６】
動力内蔵式対話型電子システムが別途要望されている。
【０００７】
コードレス再位置決めを容認する電子ホワイトボード装置が更に別途要望されている。
【０００８】
【特許文献１】米国特許５，９０３，２５２号明細書
【課題を解決するための手段】
【０００９】
本発明の実施形態は、対話型ディスプレイシステムを提供し、かかる対話型ディスプレイシステムとしては、接触式ディスプレイシステムが挙げられるが、これには限定されない。概要を説明すると、本発明の一実施形態は、可動対話型ディスプレイシステムを提供する。この対話型ディスプレイシステムは、電子ホワイトボード、例えば接触式電子ホワイトボードを有するのがよい。幾つかの実施形態では、開示した対話型ディスプレイシステムは、１つには動力内蔵式支持スタンドにより可動範囲が増大している。動力内蔵式電源装置を対話型ディスプレイシステムに搭載することにより、システムの可動性は、もはやラインコードの長さ又は電力コンセントの場所には制約されない。したがって、本発明の実施形態は、事実上制約なく室内を動き回すことができる対話型ディスプレイシステムを提供する。本発明の例示の実施形態は、少なくとも１つの垂直位置決め部材を備えた支持フレーム、例えば可動支持フレームに取り付けられた対話型ディスプレイ、例えば接触式ディスプレイを有するが、これには限定されない。このシステムは、オプションとして、次のもの、即ち、対話型ディスプレイに作動的に接続されたコンピュータ、プロジェクタ、スタイラス及び（又は）イレーザを有するのがよい。
【００１０】
本発明の別の実施形態は、対話型ディスプレイ用の調節可能であり且つ可能の支持フレームを提供する。例示の支持フレームは、ベース要素と、ベース要素から垂直に延びる少なくとも１つの支持体とを有する。支持体は、対話型ディスプレイを受け入れるよう形作られたものであるのがよく、支持フレームは、オプションとして、電源装置、例えば、再充電可能な電源装置を有するのがよい。電源装置を支持フレームに取り付けてもよく、或いは、支持フレームの一要素内に収納してもよい。支持フレームの可動性は、車輪、ローラ、キャスタ、トレッド等をベース要素に取り付けることにより促進できる。
【００１１】
さらに別の実施形態では、対話型ディスプレイの垂直位置は、支持フレームの少なくとも１つの垂直位置決め要素を用いて調節できる。垂直位置決め装置としては、油圧又は空気圧装置、例えばピストンやガススプリングが挙げられるが、これらには限定されない。垂直位置決め要素は、支持フレーム上の接触式ディスプレイの重量に釣り合い力を提供することができ、したがって、接触式ディスプレイの垂直位置は、約２５ポンド（１１．３４ｋｇ）の力、例えば、約１．０オンス〜約３ポンド（２８．３５ｇ〜１３６０．７７ｇ）の力を加えることにより調節できるようになっている。別の実施形態では、ユーザは、指の力で接触式ディスプレイの高さを調節することができる。
【００１２】
更に別の実施形態は、例えば電子ホワイトボードを有する動力内蔵式可動対話型ディスプレイシステムを提供する。開示した対話型ディスプレイシステムの実施形態は、１つ又は２つ以上のコンピュータとワイヤレス通信状態にあるのがよく、対話型ディスプレイを垂直方向に調節可能な支持フレームに取り付けるのがよい。支持フレームの一体形又は周囲電源装置は、対話型ディスプレイに電力を供給することができる。例えば、対話型電子ホワイトボードシステムを、ラインコード又は電力コンセントへの近接度の制約なく移動させることができる。本発明の他のシステム、方法、特徴及び利点は、以下の図面及び詳細な説明を参照すると当業者には明らかになろう。かかる追加のシステム、方法、特徴及び利点は全て、本明細書の説明に含まれ、本発明の範囲に含まれ、特許請求の範囲によって保護されるものである。
【００１３】
本発明の多くの特徴は、以下の図面を参照すると一層よく理解できる。図面に記載されているコンポーネントは、必ずしも縮尺通りではなく、それどころか、本発明の原理を明確に示す際に誇張されている。さらに、図面の幾つかの図において、同一の参照符号は対応の部分を示している。
【発明を実施するための最良の形態】
【００１４】
本発明の実施形態は、概略的には、対話型電子ホワイトボードシステム、例えば接触式電子ホワイトボードシステムを有する対話型ディスプレイシステム１１０に関する。適当な対話型ディスプレイとしては、接触式電子ホワイトボード１１２、リヤプロジェクション型ディスプレイ、レーザ追跡ディスプレイ、超音波追跡ディスプレイ、光学式捕捉ディスプレイ、テレビジョン、プラズマスクリーンディスプレイ、ＬＣＤ及び二酸化チタンの粒子が懸濁状態で入っている油入りカプセルを用いるＥインク（ｅＩｎｋ）ディスプレイが挙げられる。Ｅインクディスプレイは、画像を作るために選択された粒子（白色）に与えられる電荷を用いる。
【００１５】
１．垂直調整手段を備えた可動対話型ディスプレイシステム
本明細書で説明する幾つかの実施形態のうちの１つは、支持フレーム２００、例えば、可動支持フレームと組み合わせて用いられる対話型ディスプレイ１１２、例えば電子ホワイトボードを有する。支持フレーム２００は、対話型ディスプレイシステムの再位置決めを容易にする可動要素２０６、例えば車輪、トレッド又はローラを有するが、支持スタンド又は架台と床面との間の摩擦を減少させる任意の手段を利用できることは理解されよう。例示の支持フレームは、少なくとも１つの垂直位置決め要素２１２、例えば油圧又は空気圧装置を有し、このような装置としては、ガススプリング又はピストンが挙げられるが、これらには限定されない。位置決め要素２１２を支持体２０２のチャネル又は凹部２０３内に収納するのがよい。一実施形態では、位置決め要素２１２は、垂直支持体２０２の押し出しチャネル２０３内に収納されたガススプリングであるのがよい。位置決め要素２１２を押し出しチャネル内に収納することにより、位置決め要素２１２を支持体２０２に固定する追加の締結具が不要になる。変形例として、位置決め要素２１２はそれ自体、図７に示すような垂直支持体２０２であってもよい。
【００１６】
一般に、支持フレーム２００に取り付けられた対話型ディスプレイ１１２、例えば接触式ディスプレイの重量と釣り合うよう位置決め装置２１２を較正するのがよい。取付け状態の対話型ディスプレイパネル１１２の重量を釣り合わせることにより、ディスプレイ１１２の垂直位置の調整を、約２５ポンド（１１．３４ｋｇ）以下の力、好ましくは約１．０オンス〜約３ポンド（２８．３５ｇ〜１３６０．７７ｇ）の力、例えば指の力で行うことができる。ディスプレイ１１２を床から所定の距離をおいたところにいったん配置すると、ディスプレイ１１２を例えばノブ２１４の締め付けにより定位置にロックするのがよく、このノブの締め付けにより位置決め要素が定位置に固定される。
【００１７】
２．動力内蔵式対話型ディスプレイシステム
本発明の別の実施形態は、コードレスで且つ可動対話型ディスプレイシステムを提供する。「コードレス」という用語は、例えば電力コンセントに接続されるラインコードを必要としない自蔵式であることを意味する。コードレス対話型ディスプレイシステムは、可動支持フレーム２００に取り付けられた対話型ディスプレイ、例えば電子ホワイトボード１１２を有するのがよい。可動支持フレーム２００は、電源又は電源装置１０８、例えば再充電可能な電源装置を有する。動力内蔵式可動支持フレームにより、対話型電子ホワイトボードをラインコードの長さ又は電源出力部の位置、例えば壁の電源出力部の位置による制約を受けないで、収納場所又はスペース内に位置決めすることができる。
【００１８】
３．垂直調整手段を備えた動力内蔵式対話型ディスプレイシステム
さらに別の実施形態は、動力内蔵式可動支持フレーム２００に取り付けられた対話型ディスプレイ１１２を有する対話型ディスプレイシステムを提供し、この場合、少なくとも１つの垂直位置決め要素２１２、例えば油圧又は空気圧装置を作動させることにより支持フレームを垂直方向に位置決めすることができ、このような装置としては、ガススプリング又はピストンが挙げられるが、これらには限定されない。位置決め要素２１２を垂直支持体２００、例えばチャネル又は凹部内に収納するのがよい。変形例として、位置決め要素２１２はそれ自体、図７に示すような垂直支持体であってもよい。一般に、支持フレーム２００に取り付けられた対話型ディスプレイ、例えば接触式ディスプレイの重量と釣り合うよう位置決め装置２１２を較正するのがよい。取付け状態の対話型ディスプレイパネル１１２の重量と釣り合わせることにより、ディスプレイ１１２の垂直位置の調整を、約２５ポンド（１１．３４ｋｇ）以下の力、好ましくは約１．０オンス〜約３ポンド（２８．３５ｇ〜１３６０．７７ｇ）の力、例えば指の力で行うことができる。ディスプレイ１１２を床から所定の距離を置いたところにいったん配置すると、ディスプレイ１１２を例えばノブ２１４の締め付けにより定位置にロックするのがよく、このノブの締め付けにより位置決め要素が定位置に固定される。
【００１９】
４．通信手段を備えた対話型ディスプレイシステム
本明細書において説明する開示対象の実施形態のうち任意のものは、オプションとして、通信装置１２２を備えることができることは理解されよう。例えば、一対話型ディスプレイシステムは、可動スタンド２００に取り付けられた対話型ディスプレイ１１２、例えば電子ホワイトボードを有し、この場合、可動スタンド２００は、垂直位置決め要素２１２を有する。垂直位置決め要素２１２は、例えば、空気圧又は油圧ピストン、例えばガススプリングを含む。このシステムは、通信装置１２２を更に有する。通信装置１２２としては、ワイヤレス通信装置が挙げられるが、これには限定されない。
【００２０】
さらに別の実施形態では、本明細書において説明するような可動動力内蔵式対話型ディスプレイシステムは、通信装置１２２を有するのがよい。この実施形態では、対話型ディスプレイ１１２は、可動支持フレーム２００に取り付けられる。さらに別の実施形態は、可動支持フレーム２００に取り付けられた対話型ディスプレイ１１２を有する可動ディスプレイシステムを提供し、この支持フレームは、少なくとも１つの垂直位置決め要素２１２、通信装置１２２及び電源１０８、例えば、再充電可能な電源を有し、このような電源としては、標準型アルカリ電池が挙げられるが、これには限定されない。
【００２１】
次に図を参照すると、図１Ａ及び図１Ｂは、データを受信し又は送信する通信装置１２２、例えばワイヤレス通信装置を有する例示の対話型ディスプレイシステム１１０を示している。一実施形態では、ユーザは、遠隔制御装置を用いてデータを通信装置にワイヤレスで送信することにより作動システムの制御を含む対話型ディスプレイシステム１１０の機能を作動させることができる。別の実施形態では、通信装置１２２は、座標データを例えばワイヤレス通信方式を介して処理装置１１８に送信することができる。遠隔制御装置をブラケット１２４に取り付けて保管できるので好都合である。通信装置１２２としては、赤外線トランシーバ、無線波トランシーバ、電話装置等が挙げられる。対応型ディスプレイシステム１１０は、標準プロトコルを用いて分散型コンピュータネットワーク１０５、例えばローカルエリアネットワーク、ワイドエリアネットワーク又はワールドワイドウェブと通信することができ、このような標準プロトコルとしては、高周波（８０２．１１ネットワーク、（８０２．１１ｂ又は８０２．１１ａのいずれか）デュアルバンド等）、赤外線又は他の手段のうち任意形式のものが挙げられるが、これらには限定されない。
【００２２】
例示の対話型ディスプレイシステム１１０（図１Ａ及び図１Ｂ）は、オプションとして、データをディスプレイ面１１４上に投射するプロジェクタ１１６、コンピュータ処理装置１１８、スタイラス１１１及び（又は）イレーザ１１３を有する。処理装置１１８は、電子ホワイトボード１１２の一体形コンポーネントであってもよく、或いは、処理装置１１８は、電子ホワイトボード作動システム、ドライバ、ソフトウェア又は論理機能を実行するための実行可能な指令の順番付けられた一覧を含む特定アプリケーションソフトウェアをランさせることが処理装置であってもよい。このような指令を指令実行システム、装置又はデバイス、例えば指令を指令実行システム、装置又はデバイスから取り出して指令を実行できるコンピュータ利用システム、プロセッサ搭載システム又は他のシステムによる使用又はこれらと関連した使用のためにコンピュータにより読み取り可能な媒体で利用することができる。本発明との関連において、「コンピュータにより読み取り可能な媒体」は、指令実行システム、装置又はデバイスにより又はこれらと関連して用いられるプログラムを格納し、ストアし、伝達し、伝搬し又は伝送できる手段であれば任意のものであってよい。コンピュータにより読み取り可能な媒体としては、例えば、電子、磁気、光学式、電磁式、赤外線又は半導体システム、装置、デバイス又は伝搬媒体が挙げられるが、これらには限定されない。コンピュータにより読み取り可能な媒体のより具体的な例（非限定的な一覧表）としては、以下のもの、即ち、１本又は２本以上のワイヤを備えた電気接続手段（電子接続手段）、携帯用ディスケット又はフロッピー（登録商標）ディスク（磁気式）、ランダムアクセスメモリ（ＲＡＭ）（電子式）、読み取り専用メモリ（ＲＯＭ）（電子式）、消去及びプログラム可能読み取り専用記憶装置（ＥＰＲＯＭ又はフラッシュメモリ）（電子式）、光ファイバ（光学式）及び携帯用コンパクトディスク読み取り記憶装置（ＣＤＲＯＭ）（光学式）が挙げられる。コンピュータによる読み取り可能な媒体は、それどころか、プログラムが印刷されるペーパー又は別の適当な媒体であってもよいことは注目されるべきである。というのは、プログラムを例えばペーパー又は他の媒体の光学式走査により電子的に捕捉し、次にコンパイルし、解読し、或いは必要ならば適当な方法で違ったやり方で処理し、次にコンピュータメモリにストアできるからである。さらに、本発明の実施形態の範囲は、本発明の好ましい実施形態の機能をハードウェア又はソフトウェアによりコンフィグされる媒体に具体化された論理中に具体化することを含む。
【００２３】
当該技術分野においては、対話型ディスプレイ、例えば電子ホワイトボード１１２は公知であり、この電子ホワイトボードは、種々の仕方でユーザから入力を受け取ることができる。例えば、電子ホワイトボード１１２は、キャパシタンス技術を組み込むことができ、導電性スタイラスによりユーザから入力を受け取ることができる。スタイラス１１１は、指を含む筆記具であるのがよい。例示のスタイラス１１１は、電子ホワイトボードの表面に対するスタイラス１１１の存在場所を指示する信号を電子ホワイトボード１１２に送ることができる。スタイラス１１１は又、ペンの色、線引き又は消去モード、線幅、フォント又は、他の情報を電子ホワイトボード１１２に送ることができ、このような情報としては、書式作成情報が挙げられるが、これらには限定されない。
【００２４】
別の実施形態では、電子ホワイトボード１１２は、入力を受け取るための接触式又は感圧式表面１１４を有するのがよい。接触式又は感圧式という用語は、物理的接触を電気信号又は入力の状態に変換できることを意味する。接触式電子ホワイトボードは、抵抗メンブレン技術を搭載するのがよい。これについては例えば、抵抗メンブレン電子ホワイトボードを記載しているギーグハン（Geaghan）等に付与された米国特許第５，７９０，１１４号明細書を参照されたい。なお、この米国特許を参照により引用し、その記載内容全体を本明細書の一部とする。
【００２５】
概要を述べると、電子ホワイトボード１１２は、例えば張力又は変形可能な導電性フォームにより互いに物理的に分離された２つの導電性シートを有するのがよく、したがって、これら２枚のシートは、接触圧力又は物理的圧力に応答して互いに接触するようになる。これらシートは、導電性材料で作られたものであるのがよく、或いは、導電性材料、例えば導電性フィルムで覆われたものであってもよく、これらシートはそれ自体、変形可能であるのがよい。導電性シートの表面に触り、書き込みし、又は他の仕方で圧力を及ぼすことにより、２枚の導電性シートが互いに接触し、その結果電圧又は抵抗に検出可能な変化が生じる。シートは、抵抗ディバイダとして働くことができ、シートのエッジに互いに異なる電圧を印加することにより電圧勾配を作ることができる。次に、電圧又は抵抗の変化をロケーション値、例えばデカルト座標の組に相関させるのがよい。デカルトデータ、例えば（ｘ，ｙ）の対又はこれらの均等データを例えば互換性のあるデータパケットで処理装置１１８に送るのがよい。
【００２６】
ロケーション情報を処理、操作、編集又はストレージのために処理装置１１８、例えばパーソナルコンピュータに送り又は中継するのがよい。従来型ドライ−イレーズマーカが代表的には、電子ホワイトボード１１２の表面１１４に書き込みをするために用いられるが、電子ホワイトボード１１２の表面１１４に物理的にマーク付けするのに任意の消去可能なインク、除去可能なインク又は持久性顔料又は着色を用いてもよい。電子ホワイトボード１１２に付けられた物理的マークは、従来方法を用いて除去でき、このような方法としては、イレーザ１１３、タオル、ティッシュー、手又はマークを電子ホワイトボード１１２の表面１１４から物理的に除去する他の物体が挙げられる。
【００２７】
電子ホワイトボード１１２は、操作領域１２０を更に有するのがよい。操作領域１２０は、電子ホワイトボードシステム１１０の機能を制御する多数の操作領域を含むのがよい。操作領域１２０は、圧力を操作領域に及ぼすことにより作動できるアクチュエータ、例えば物理的ボタンであるのがよい。操作領域１２０の機能は、一定であってもよく、可変であってもよい。操作領域１２０の機能が可変である場合、操作領域１２０は、機能を処理装置１１８により制御できるソフトキーを有するのがよい。例えば、ソフトキーは、処理装置１１８で走る種々のアプリケーションソフトウェアに応じて互いに異なる機能を有することができる。プロジェクタ１１６を用いるソフトキーのその時点における機能を指示する画像又はアイコンを操作領域１２０の近くに投影するのがよい。
【００２８】
プロジェクタ１１６を電子ホワイトボード１１２又は処理装置１１８、或いはこれら両方に作動的に結合するのがよい。プロジェクタ１１６は、代表的にはコンピュータ処理装置１１８のディスプレイモニタ上のグラフィカルユーザインターフェイスを電子ホワイトボード１１２の表面１１４上に投射する従来型投射装置であるのがよい。プロジェクタ１１６は、キーストーニング及び他の光学的問題、例えば、表面１１４上に投射された像とディスプレイ上のグラフィカルユーザインターフェイスの整列に起因して生じる光学的問題を含む画像のディストーション（歪曲）を調節することができる。変形例として、処理装置１１８が、画像又は正しい整列に関する問題を調整してもよい。ユーザは、物理的にプロジェクタ１１６を調節してキーストーニングを含む画像の問題を補償することができる。
【００２９】
図２は、対話型ディスプレイシステム１１０の例示の支持フレーム２００の略図である。支持フレーム又はスタンド２００の一実施形態は、少なくとも１つの垂直支持体２０２、好ましくは２つの垂直支持体２０２を有する。垂直支持体２０２は、一定長さのものであってもよく、調節可能な長さを有しもよく、この垂直支持体は、下端部がベース要素２０４に連結されている。ベース要素は、対話型ディスプレイシステム１１０の運動を容易にする複数の可動要素２０６を有している。適当な可動要素としては、車輪、キャスタ、ローラ、トレッド等が挙げられるが、これらには限定されない。可動要素２０６をベース要素２０４にヒンジ式に取り付けて各ホイールが電子ホワイトボード１１２の方へ内方に折り畳め又は回ることができるようにするのがよい。変形例として、ベース要素２０４は、可動要素２０６が支持体２０２に向かって内方に折り畳めるように折り畳み可能であってもよい。
【００３０】
２つ又は３つ以上の垂直支持体２０２を少なくとも１つの水平支持体２１０，２０８で互いに連結するのがよい。下側水平支持体２０８は、床面に実質的に平行な平坦面を有する棚要素２０９を有するのがよい。さらに、ひっくり返りを減少させることができるようにするために、下側支持体２０８、棚要素２０９及びベース要素２０４又はこれらの組合せを、支持フレーム２００の重心を下にするよう稠密材料で重み付けし又は製造するのがよい。一実施形態では、支持フレーム２００は、支持フレーム２００が転倒することなく鉛直軸線から最高約２０°まで、好ましくは１０°まで傾斜することができるよう重み付けされ又は製造されている。
【００３１】
別の実施形態では、垂直支持体２０２は、垂直位置決め要素２１２を受け入れると共に（或いは）収納する中空凹部又はチャネルを有する。図３Ａ〜図３Ｃは、伸縮できる油圧又は空気圧装置、例えばピストン又はばね、例えばガススプリングであるのがよい例示の垂直位置決め要素２１２を示している。油圧及び空気圧ピストン及びガススプリングは、当該技術分野において知られており、市販されている（ペンシルベニア州ブリストル・スイート１０１・フロスト・ロード１９００・所在のサービス・プラス・ディストリビューターズ・インコーポレイテッド（Service Plus Distributors, Inc. 1900 Frost Road, Suite 101 Bristol, PA）。ガススプリングは、圧力管、ピストン付きのピストンロッド及び適当な連結継手から成る油圧空気圧式調節要素であるのがよい。これは一般に、圧縮不活性ガス、例えば窒素で満たされており、この不活性ガスは、同じ圧力でピストンの寸法が異なる断面積に作用する。これにより、伸長方向に力が生じる。この伸長力は、充填圧力の適当な選択により物理的限度内に正確に定めることができる。
【００３２】
したがって、垂直位置決め要素２１２は、取付け状態の対話型ディスプレイ、例えば電子ホワイトボード１１２の重量を補償し又は釣り合わせて取付け状態の電子ホワイトボード１１２を、最小の圧力、例えば指の力を加えることにより開示した支持フレーム２００上に垂直方向に位置決めできるよう較正可能である。一実施形態では、垂直位置決め要素２１２は、上向きの力又は揚力を対話型ディスプレイ１１２に加えて対話型ディスプレイ１１２、例えば電子ホワイトボード１１２の重量により生じる下向きの力と釣り合うよう較正される。１つ又は複数個の垂直位置決め要素２１２は、少なくとも約２００ポンド（９０．７２ｋｇ）、好ましくは少なくとも約１００ポンド（４５．３６ｋｇ）、更により好ましくは約５０ポンド（２２．６８ｋｇ）〜２００ポンドの重量の釣り合いのために十分な力を出す。垂直位置決め要素２１２により出される力の大きさは、対話型ディスプレイ１１２の高さを変化させるよう調節できる。別の実施形態では、１つ又は複数の垂直位置決め要素２１２が、十分な釣り合い力を及ぼして対話型ディスプレイ１１２をたった１人のユーザが指の力を対話型ディスプレイ１１２に及ぼすことにより開示された支持フレーム上で垂直方向に再位置決めできるようになっている。例えば、ユーザが、垂直位置決め要素２１２を作動させることにより、例えば、位置決めクランプ又はガススプリングロックを解除し、約２５ポンド以下、好ましくは、約１．０オンス〜約３ポンド（１．３６ｋｇ）の力を電子ホワイトボード１１２に加えることにより、電子ホワイトボード１１２の位置を垂直方向に調節することができる。電子ホワイトボード１１２がいったん所望の位置にくると、ユーザは、締結具２１４を締めることにより電子ホワイトボード１１２を動かないようにするのがよい。
【００３３】
支持フレーム２００が各々垂直位置決め要素２１２を備えた２つ以上の垂直支持体２０２を有している場合、単一のアクチュエータ、例えばペダル５０２、ボタン又はスイッチを用いて垂直位置決め要素２１２を同時に作動させて例えば位置決めクランプを解除し、位置決め要素が伸長することができるようにすることができる。このような伸縮は、例えば、入れ子式要素を用いて達成できる。変形例として、垂直位置決め要素２１２がそれ自体、垂直支持体２０２として機能してもよい。
【００３４】
少なくとも１つの取付けブラケット３０２が、垂直位置決め要素２１２に取り付けられている。取付けブラケット３０２は代表的には、位置決め要素２１２の上端部に固定されている。下側取付けブラケット３０４を用いるのがよいが、このようにするかどうかは任意であり、このようなブラケットは一般に、位置決め要素２１２の下端部に固定される。取付けブラケット３０２，３０４は、対話型ディスプレイ１１２を受け入れるよう形作られている。例えば、電子ホワイトボード１１２は、取付けブラケット３０２又は３０４と嵌合可能に係合する凹部を有するのがよい。変形として、１つ又は２つ以上の別々の取付けブラケットを電子ホワイトボード１１２に固定し、これら別々の取付けブラケットを１つ又は２つ以上の上側取付けブラケット３０２に固定してもよい。取付けブラケット３０２又は３０４を従来型締結具を用いて対話型ディスプレイ１１２に直接締結し又は対話型ディスプレイ１１２に固定された取付けブラケットに締結することができ、このような締結具としては、ねじ、ナット、ボルト、クランプ、ピン、バックル、ブレース等が挙げられるが、これらには限定されない。
【００３５】
図４Ａ及び図４Ｂは、それぞれ正面及び背後から見た電源又は電源装置１０８を備えた支持フレーム２００の別の実施形態を示している。電源又は電源装置１０８は、１つ又は２つ以上の電池を含むのがよく、かかる電池としては、標準“Ｄ”電池バッテリが挙げられるが、これには限定されない。当業者であれば理解されるように、任意適当な電源又は電池を従来型バッテリを含む開示した手段又は再充電式電源と関連して使用でき、かかる電源としては、再充電式電池、例えばニッケル金属水素（ＮｉＭＨ）電池が挙げられるが、これには限定されない。再充電可能な電源は、再充電要素４０３を有するのがよいが、このようにするかどうかは任意である。再充電要素は、当該技術分野において知られており、市販されている。
【００３６】
変形例として、電源装置１０８は、燃料電池、例えば水素燃料電池を含んでもよい。適当な従来型電池としては、電解液として含水アルカリ溶液を用いるアルカリ電池が挙げられる。例えば、電解液として水酸化カリウムを用いる二酸化マンガン１次電池を用いてもよい。電池の充電中、酸素を多くを含む二酸化マンガンが還元し、亜鉛は、酸化状態になり、イオンは、導電性アルカリ電解液を通って運ばれる。
【００３７】
電源装置１０８は、電力を対話型ディスプレイシステム１１２に供給する標準電力接続部４０２を有している。変形例として、対話型ディスプレイシステム１１０は、支持フレーム２００を介して電源装置１０８と電気的連絡状態にあってもよい。別の実施形態では、電源装置１０８を、標準の壁電力コンセントに接続された接続部４０４を介して再充電してもよい。電源装置１０８は、任意の幾何学的形状のものであってよいことは理解されよう。一実施形態では、外面に設けられ、垂直支持体２１２のチャネル又は凹部内に嵌まり込む突起を有する電源装置１０８が提供される。電源装置１０８の幅は、垂直支持体２１２の幅に適合させるのがよく、突起を垂直支持体２１２のチャネルに挿入することにより電源装置１０８を垂直支持体２１２に固定するのがよい。電源装置１０８をいったん垂直支持体２１２上の定位置に嵌め込むと、従来型締結具を用いて一段と固定するのがよい。
【００３８】
電源装置１０８は、貯蔵された電力レベルをユーザに伝える状態表示器１０６を更に有する。例えば、電源装置１０８は、貯蔵電力のレベルを指示するよう色分け可能なＬＥＤディスプレイ１０６を有するのがよい。電源装置１０８を支持フレーム２００上又はこの中に位置決めして対話型ディスプレイ１１２を正面から見たときに電力レベル表示器１０６が見えるようにするのがよい。例えば、電源装置１０８を垂直支持体２０２上に又はこの中に設けて電力レベル表示器１０６を対話型ディスプレイ１１２の底縁部の下で露出させるのがよい。さらに別の実施形態では、電源装置１０８を垂直又は水平支持体内に収納してもよく、バッテリ充電レベル表示器１０６を対話型ディスプレイ１１２の正面上に表示してもよい。
【００３９】
図５は、対話型ディスプレイ、例えば接触式ディスプレイ、例えば電子ホワイトボード１１２に個々に取り付けることができる複数個の垂直位置決め要素２１２を有する例示の支持フレームの略図である。取付けブラケット５０４が、対話型ディスプレイ、例えば接触式ディスプレイを受け入れるよう垂直位置決め要素２１２に取り付けられている。この実施形態では、垂直位置決め要素２１２は、油圧又は空気圧装置、例えばガススプリングを有している。位置決め要素２１２は、対話型ディスプレイの重量に対して釣り合わせ力をもたらすよう較正され、ペダル５０２によって作動できる。したがって、位置決め要素２１２は、約５０〜約２００ポンド、好ましくは約２５〜約７５ポンド（１１．３４〜３４．０２ｋｇ）の重量と釣り合うようひとまとめに又は個別的に較正される。下側水平支持体２０８は、垂直位置決め要素２１２に連結される。複数個の車輪、ローラ又はキャスタ２０６を有するベース要素２０６を実質的に平らなアーム２０４により水平支持体２０８の互いに反対側の端部に取り付けられている。接触式ディスプレイに電力を供給する電源装置１０８を水平支持体２０８内に設け又はこれに取り付けるのがよい。
【００４０】
図６は、調節可能なローラアーム６０４を備えた実施形態の略図である。支持フレーム６００は、水平支持体２０８の互いに反対側の端部に取り付けられている複数個のローラ２０６を備えた水平支持体２０８を有している。ローラ２０６は、ローラアーム６０４に取り付けられている。２本のローラアーム６０４は、水平支持体２０８の各端部に取り付けられ、ローラ２０６相互間の距離を調節するよう水平支持体２０８の端部を中心として回動する。例えば、２つのローラ２０６を保管のために水平ベース要素２０８に向かって一緒に折り畳むことができる。２本の隣接したローラアーム６０４相互間の角度が約０°〜約１８０°以上になるように回動するのがよい。代表的には、ローラアーム６０４相互間の角度をスタンド６００のひっくり返りを阻止するよう約６０°〜約１８０°に調節し、例えば増大させる。ローラアーム６０４を、ローラ２０６相互間の所望の離隔度が達成されたときに定位置にロックするのがよい。支持フレーム６００は、電子ホワイトボード１１２を受け入れるよう形作られた水平支持体６０６を更に有する。水平支持体６０６は、垂直位置決め要素２１２に連結されている。
【００４１】
図７に示す支持スタンド７００は、下側水平支持体２０８から上側水平支持体７０４まで垂直に延びる単一の垂直位置決め要素２１２を有している。非伸長性垂直支持体７０２が、上側水平支持体７０４の互いに反対側の端部に設けられた穴を貫通して延びることにより上側水平支持体７０４の案内となる。接触式ディスプレイ、例えば電子ホワイトボード１１２を有する対話型ディスプレイを水平支持体７０４に取り付けるのがよい。対話型ディスプレイ１１２の垂直位置決めを、例えば垂直位置決め要素２１２に設けられているロックを解除して垂直位置決め要素２１２を作動させることにより調節することができる。支持スタンド７００は、水平支持体２０８の端部にヒンジ式に取り付けられているローラアーム２０４を更に有する。したがって、ローラ２０６を水平支持体２０８に向かって内方に折り畳むことができる。水平支持体２０８は、電源装置１０８を収納状態で更に有するのがよい。
【００４２】
本発明の上述の実施形態、特に「好ましい」実施形態は、単に本発明の原理の明確な理解のために具体化例の考えられる単なる例であることは強調されるべきである。本発明の精神及び原理から実質的に逸脱することなく、本発明の上述の実施形態の多くの変形及び改造を行うことができる。かかる全ての改造例及び変形例は、本開示及び本発明の範囲内に含まれるものであり、特許請求の範囲により保護される。
【図面の簡単な説明】
【００４３】
【図１Ａ】例示の対話型ディスプレイシステムの正面図である。
【図１Ｂ】別の例示の対話型ディスプレイシステムの図である。
【図２】例示の支持フレームの略図である。
【図３Ａ】例示の位置決め要素の図である。
【図３Ｂ】図３Ａに示す例示の位置決め要素の上方部分の図である。
【図３Ｃ】図３Ａに示す例示の位置決め要素の中央部分の図である。
【図４Ａ】電源装置を有する例示の実施形態を正面から見た図である。
【図４Ｂ】電源装置を有する例示の実施形態を背後から見た図である。
【図５】開示した支持フレームの変形実施形態の略図である。
【図６】開示した支持フレームの別の実施形態の略図である。
【図７】開示した支持フレームの更に別の実施形態の略図である。
【図１Ａ】
2007530990.tif 000002
【図１Ｂ】
2007530990.tif 000003
【図２】
2007530990.tif 000004
【図３Ａ】
2007530990.tif 000005
【図３Ｂ】
2007530990.tif 000006
【図３Ｃ】
2007530990.tif 000007
【図４Ａ】
2007530990.tif 000008
【図４Ｂ】
2007530990.tif 000009
【図５】
2007530990.tif 000010
【図６】
2007530990.tif 000011
【図７】
2007530990.tif 000012
【国際調査報告】
2007530990.tif 000013
2007530990.tif 000014